(57)【要約】【課題】  容易に太陽電池モジュールを設置することができる太陽電池モジュール設置具を提供する。【解決手段】  杭Ｐにより地面に固定される基台３と、基台３に取り付けられ、太陽電池モジュールＭが載せ置かれる架台５とを備える。基台３は、杭が通される３つの案内部材９，９，９と、案内部材９，９間に配置される３つの支柱部材１５，１７，１９とを備え、案内部材９の上部には、杭Ｐが通され、杭Ｐに固定される締付具３１が設けられている。杭Ｐが締付具３１および案内部材９に通されて地面に打ち込まれ、締付具３１に杭Ｐが固定されることで台座７が地面に固定される。前方に配置された２本の支柱部材１５，１７は、後方に配置される１本の支柱部材１９より短く形成されており、架台５は傾斜して支柱部材１５，１７，１９に取り付けられる。【選択図】  図１
2015052207.tif 000002
【特許請求の範囲】
【請求項１】
杭により固定される支柱部材と、
この支柱部材の上端部に取り付けられ、太陽電池モジュールが取り付けられる架台と
を備えることを特徴とする太陽電池モジュール設置具。
【請求項２】
前記支柱部材は、前後に離隔して設けられ、
前方の支柱部材と後方の支柱部材は長さが異なっており、
前記架台は、前後の支柱部材の上端部に保持されることで傾斜して取り付けられる
ことを特徴とする請求項１に記載の太陽電池モジュール設置具。
【請求項３】
前記支柱部材は、基台に取り付けられており、
前記基台は、杭が通される共に、杭に固定される締付具を備える
ことを特徴とする請求項１または請求項２に記載の太陽電池モジュール設置具。
【請求項４】
前記架台は、左右に離隔して設けられる支持部と、この支持部同士を連結する連結部とを有し、
前記連結部が、前記支柱部材の上端部に設けられた留具により固定される
ことを特徴とする請求項１から請求項３までのいずれかに記載の太陽電池モジュール設置具。
【請求項５】
前記留具は、前記連結部が上方からはめ込まれる凹部が形成された留具本体と、
この留具本体に取り付けられ、前記凹部にはめ込まれた前記連結部の抜けを防止する留材と
を備えることを特徴とする請求項４に記載の太陽電池モジュール設置具。
【請求項６】
前記架台は、左右に離隔して設けられる支持部と、この支持部同士を連結する連結部と、前記連結部から下方へ突出する接続部とを有し、
前記接続部が、前記支柱部材の上端部に設けられた受け具にはめ込まれて固定される
ことを特徴とする請求項１から請求項３までのいずれかに記載の太陽電池モジュール設置具。
【請求項７】
前記基台の下部およびその周囲に敷かれる防草部材をさらに備える
ことを特徴とする請求項３から請求項６までのいずれかに記載の太陽電池モジュール設置具。
【発明の詳細な説明】
【技術分野】
【０００１】
本発明は、太陽光発電に用いる太陽電池モジュールを設置するのに使用される設置具に関するものである。
【背景技術】
【０００２】
近年、クリーンエネルギーとして、太陽光発電が注目されており、この太陽光発電に用いられる太陽電池モジュール（ソーラーパネル）を多数設置して、大規模に発電することが行われている。
【発明の概要】
【発明が解決しようとする課題】
【０００３】
しかしながら、従来は、地面にセメントにより基礎を形成し、この基礎にフレームを固定し、このフレームに太陽電池モジュールを固定しており、設置に時間や労力を要した。
【０００４】
本発明が解決しようとする課題は、容易に太陽電池モジュールを設置することができる太陽電池モジュール設置具を提供することにある。
【課題を解決するための手段】
【０００５】
本発明は、前記課題を解決するためになされたもので、請求項１に記載の発明は、杭により固定される支柱部材と、この支柱部材の上端部に取り付けられ、太陽電池モジュールが取り付けられる架台とを備えることを特徴とする太陽電池モジュール設置具である。
【０００６】
請求項２に記載の発明は、前記支柱部材は、前後に離隔して設けられ、前方の支柱部材と後方の支柱部材は長さが異なっており、前記架台は、前後の支柱部材の上端部に保持されることで傾斜して取り付けられることを特徴とする請求項１に記載の太陽電池モジュール設置具である。
【０００７】
請求項３に記載の発明は、前記支柱部材は、基台に取り付けられており、前記基台は、杭が通される共に、杭に固定される締付具を備えることを特徴とする請求項１または請求項２に記載の太陽電池モジュール設置具である。
【０００８】
請求項４に記載の発明は、前記架台は、左右に離隔して設けられる支持部と、この支持部同士を連結する連結部とを有し、前記連結部が、前記支柱部材の上端部に設けられた留具により固定されることを特徴とする請求項１から請求項３までのいずれかに記載の太陽電池モジュール設置具である。
【０００９】
請求項５に記載の発明は、前記留具は、前記連結部が上方からはめ込まれる凹部が形成された留具本体と、この留具本体に取り付けられ、前記凹部にはめ込まれた前記連結部の抜けを防止する留材とを備えることを特徴とする請求項４に記載の太陽電池モジュール設置具である。
【００１０】
請求項６に記載の発明は、前記架台は、左右に離隔して設けられる支持部と、この支持部同士を連結する連結部と、前記連結部から下方へ突出する接続部とを有し、前記接続部が、前記支柱部材の上端部に設けられた受け具にはめ込まれて固定されることを特徴とする請求項１から請求項３までのいずれかに記載の太陽電池モジュール設置具である。
【００１１】
さらに、請求項７に記載の発明は、前記基台の下部およびその周囲に敷かれる防草部材をさらに備えることを特徴とする請求項３から請求項６までのいずれかに記載の太陽電池モジュール設置具である。
【発明の効果】
【００１２】
本発明によれば、容易に太陽電池モジュールを設置することができる太陽電池モジュール設置具を提供できる。
【図面の簡単な説明】
【００１３】
【図１】本発明の太陽電池モジュール設置具の一実施例を示す斜視図である。
【図２】図１の太陽電池モジュール設置具の基台を示す斜視図である。
【図３】図２のＡ部を示す分解斜視図である。
【図４】締付具を示す断面図である。
【図５】図１の太陽電池モジュール設置具の一部を示す図である。
【図６】図５のＢ部を示す図である。
【図７】図５のＣ部を示す図である。
【図８】図６における留具の分解斜視図である。
【図９】図１の太陽電池モジュール設置具の架台を示す斜視図である。
【図１０】図１の太陽電池モジュール設置具に太陽電池モジュールが取り付けられた状態を示す図である。
【図１１】図１０のＤ部を示す図である。
【図１２】図１０のＥ部を示す図である。
【図１３】第一係止具を示す斜視図である。
【図１４】図１３の第一係止具の断面図である。
【図１５】図１０のＦ部を示す図である。
【図１６】図１５における第二係止具の断面図である。
【図１７】防草部材を取り付けようとしている状態を示す図である。
【図１８】防草部材が取り付けられた状態を示す図である。
【図１９】図１の太陽電池モジュール設置具の変形例の架台を示す図である。
【図２０】図１９の架台が支柱部材に取り付けられた状態を示す図である。
【発明を実施するための形態】
【００１４】
以下、本発明の太陽電池モジュール設置具の一実施例について図面に基づいて具体的に説明する。
【００１５】
図１は、本発明の太陽電池モジュール設置具の一実施例を示す斜視図である。
【００１６】
本実施例の太陽電池モジュール設置具１は、杭Ｐにより地面に固定される基台３と、この基台３に取り付けられ、太陽電池モジュールＭが載せ置かれる架台５とを主要部に備える。
【００１７】
図２は、基台を示す斜視図である。
図３は、図２のＡ部を示す分解斜視図である。
【００１８】
基台３は、板状の台座７と、この台座７に設けられる３つの案内部材９，９，９と、案内部材９，９間に配置される３つの支柱部材１５，１７，１９とを主要部に備える。
【００１９】
台座７は、略正三角形状とされ、角部付近には、それぞれ円形の貫通穴７ａが形成されている。本実施例では、台座７は、その頂点部が切り欠かれている。
【００２０】
案内部材９は、円筒状とされ、本実施例では金属製のパイプにより構成されている。
案内部材９は、軸線を上下方向に沿うように配置され、その下端部が台座７の貫通穴７ａにはめ込まれて溶接より台座７に固定される。
台座７に固定された３つの案内部材９，９，９は、それぞれ案内部材９，９間の距離が同じとされる。
【００２１】
本実施例では、３つの案内部材９，９，９は前後に離隔して設けられる。この際、前方に１つの案内部材９が配置され、後方に２つの案内部材９，９が左右に離隔して配置される。
【００２２】
支柱部材１５，１７，１９は、棒状とされ、本実施例では金属製のパイプにより構成されている。支柱部材１５，１７，１９は、案内部材９，９間の中間部に配置される。支柱部材１５，１７，１９は、軸線を上下方向に沿うようして台座７に載せ置かれ、その下端部が溶接により台座７に固定される。
【００２３】
本実施例では、前方に２つの支柱部材１５，１７が、左右に離隔して配置され、後方に１つの支柱部材１９が配置される。
【００２４】
支柱部材１５，１７，１９は、案内部材９より軸方向の寸法が長く、案内部材９より上方へ突出している。また、本実施例では、図１に示すように、前方に配置された２本の支柱部材１５，１７は、後方に配置される支柱部材１９より短く形成されており、前方の２つの支柱部材１５，１７は同じ長さとされる。
【００２５】
案内部材９と支柱部材１５，１７，１９、および、支柱部材１５，１７，１９同士を連結するように側壁部材２３が設けられ、この側壁部材２３の上端部にカバー材２５が設けられる。
【００２６】
側壁部材２３は、矩形板状とされる。側壁部材２３は、案内部材９と支柱部材１５，１７，１９との間、および支柱部材１５，１７，１９間に配置される。側壁部材２３は、その下端部が台座７の溝７ｂにはめ込まれて溶接により台座７に固定されて立設される。本実施例では、９つの側壁部材２３が台座７に固定される。また、側壁部材２３の両側端部は、案内部材９の外周面または支柱部材１５，１７，１９の外周面に溶接により固定される。本実施例では、側壁部材２３には、三角形状の貫通穴２３ａが４つ形成されている。
【００２７】
カバー材２５は、略三角形状の板片とされ、その中央部に三角形状の貫通穴２５ａが形成されて、環状に形成されている。カバー材２５の三辺の中央部には、それぞれ細長い溝２５ｂが形成されている。また、カバー材２５の１つの頂点部には、円形の貫通穴２５ｃが形成されており、他の２つの頂点部には、略半円形状の凹部２５ｄが形成されている。
【００２８】
本実施例では、３つのカバー材２５，２５，２５が、９つの側壁部材２３，…，２３に載せ置かれて固定される。具体的には、カバー材２５は、その三辺が、３つの側壁部材２３，２３，２３の上端部に載せ置かれて、各側壁部材２３に溶接により固定される。この際、３辺の溝２５ｂに、側壁部材２３の上端部がはめ込まれて溶接される。
【００２９】
また、カバー材２５は、その貫通穴２５ｃが、案内部材９の内穴と連通するように配置されると共に、凹部２５ｄが、支柱部材１５，１７，１９の外周面にはめ込まれるようにして設けられる。
【００３０】
このようにして、カバー材２５は、案内部材９の上端部と支柱部材１５，１７，１９の軸方向中途部とを架け渡すように、および支柱部材１５，１７，１９の軸方向中途部同士を架け渡すように設けられている。
【００３１】
各案内部材９の上端部には、締付具３１が設けられている。
図４は、締付具を示す断面図である。
【００３２】
締付具３１は、円筒体の一部が軸方向に切り欠かれた略Ｃ字形状の部材とされる。締付具３１は、その開口端部同士が、近接および離隔可能に撓み変形可能とされる。また、締付具３１の開口端部には、外方へ延出して矩形状の板片３３，３５が一体に形成されている。一方の板片３３には、貫通穴３７が形成されており、他方の板片３５には、ネジ穴３９が貫通して形成されている。
【００３３】
締付具３１は、取付材４１を介してカバー材２５に固定されて、案内部材９の上方に配置されている。具体的には、取付材４１は略三角形状の板片とされ、板面を上下方向に沿うように配置され、その下端辺４１ａが、カバー材２５に溶接により固定されて、案内部材９より上方へ突出して設けられている。そして、取付材４１の縦辺４１ｂに、締付具３１の外周面が溶接により固定されている。取付材４１を介してカバー材２５に固定された締付具３１は、案内部材９の上方に、案内部材９と同軸線上に配置されている。
【００３４】
基台３は、地面に載置された状態で、各締付具３１および案内部材９に杭Ｐが差し込まれて、地面に打ち込まれる。杭Ｐが打ち込まれた後、各締付具３１の一方の板片３３から他方の板片３５に向けてボルト４３をねじ込み、締付具３１を杭Ｐに固定させることで、基台３が地面に固定される。本実施例では、３本の杭Ｐが地面に打ち込まれて、基台３が地面に固定される。
【００３５】
３本の支柱部材１５，１７，１９の軸方向中途部において、三角形状の板材４７が上下に離隔して２つ取り付けられている。板材４７は、頂点付近に貫通穴が形成されており、この貫通穴に支柱部材１５，１７，１９が通されて、支柱部材１５，１７，１９に溶接にて固定されて、支柱部材１５，１７，１９と一体化されている。
【００３６】
図５は、本実施例の太陽電池モジュール設置具の一部を示す図であり、図６は、図５のＢ部を示す図であり、図７は、図５のＣ部を示す図である。
図８は、図６に示される留具の分解斜視図である。
【００３７】
各支柱部材１５，１７，１９の上端部には、留具５１が取り付けられている。留具５１は、各支柱部材１５，１７，１９の上端部に設けられる留具本体５３と、この留具本体５３に取り付けられる留材５５とを有する。
【００３８】
留具本体５３は、上下方向に開口する矩形箱状とされ、板片を組み合わせて構成されている。留具本体５３は、各支柱部材１５，１７，１９の上端部に載せ置かれて、その下端部が各支柱部材１５，１７，１９の上端部に溶接により固定されている。本実施例では、前方の支柱部材１５，１７に設けられる留具本体５３と、後方の支柱部材１９に設けられる留具本体５３とは、互いに同一形状であるが、前後対称形状に配置されるように、向きが１８０度回転した状態で取り付けられている。
【００３９】
留具本体５３の左右両側壁には、上方へ開口する矩形状の凹部５７が上下方向に沿って形成されている。この凹部５７は、板厚方向（左右方向）に貫通して形成されており、その下端部は、半円形状に形成されている。
【００４０】
また、留具本体５３には、２本のネジ棒５９，５９が左右に離隔して、上方へ突出して設けられている。本実施例では、２本のネジ棒５９，５９は、凹部５７の近傍において、その下端部が留具本体５３に溶接により固定されて立設されている。
【００４１】
留材５５は、正方形の板状とされ、対角線上に、貫通穴６１が２つ形成されている。留材５５は、その貫通穴６１にネジ棒５９が通された状態で、ネジ棒５９にナット６３がねじ込まれることで、留具本体５３に固定される。
【００４２】
図９は、架台を示す斜視図である。
【００４３】
架台５は、図９に示すように、左右に離隔して配置される一対の支持部７１，７１と、この支持部７１，７１同士を連結する連結部７３とを備える。
【００４４】
各支持部７１は、２本の棒材７５，７５により構成されている。本実施例では、各棒材７５は、金属製のパイプにより構成されている。２本の棒材７５，７５は、左右に離隔して配置されると共に、軸方向を前後方向に沿うように平行に配置されている。図示例では、棒材７５，７５間の隙間は、約１１ｍｍとされている。
【００４５】
連結部７３は、棒状とされ、本実施例では金属製のパイプにより構成されている。本実施例では、前後に離隔して２本の連結部７３，７３が設けられる。
【００４６】
２本の連結部７３，７３は、支持部７１の前後方向（長手方向）中間部から、前後に離隔して配置され、各連結部７３は、その左右両端部が各支持部７１に固定される。具体的には、連結部７３の両端部に、支持部７１を構成する各棒材７５が載置されて、各棒材７５の下面に連結部７３が溶接にて固定されている。
【００４７】
このように、一対の支持部７１，７１が、２つの連結部７３，７３に固定されて一体化され、架台５が構成されている。
【００４８】
一対の支持部７１，７１同士を架け渡すように、さらに補助連結部７９，８１が設けられている。本実施例では、支持部７１の前部に第一補助連結部７９が設けられ、後部に第二補助連結部８１が設けられる。
【００４９】
第一補助連結部７９は、断面Ｌ字形の柱材８５と、この柱材８５の両端部に設けられる板片８７とにより構成される。
【００５０】
柱材８５は、左右方向に沿って配置され、両端部が、各支持部７１の下面に溶接により固定される一片８９と、この一片８９の前端部から下方へ突出して設けられる他片９１とによりＬ字形に構成されている。
【００５１】
板片８７は、矩形状とされ、左右に離隔して２つの貫通穴８７ａが形成されている。
板片８７は、柱材８５の左右両端部において、他片９１の前面に重ね合わされて固定されている。この際、板片８７は、柱材８５より上方へ突出して設けられ、２つの貫通穴８７ａに支持部７１を構成する２つの棒材７５が通されており、板片８７の上端部は、固定箇所において支持部７１より上方へ突出している。
【００５２】
第二補助連結部８１は、断面Ｌ字形の柱材９５と、この柱材９５の両端部に設けられる板片９７とを備える。柱材９５は、左右方向に沿って配置され、左右両端部が、各支持部７１の下面に溶接により固定される一片９９と、この一片９９の後端部から下方へ突出して設けられる他片１０１とによりＬ字形に構成されている。
【００５３】
板片９７は、矩形状とされ、その上端部には、左右に離隔して２つの半円形状の凹部１０３が上方へ開口して形成されている。板片９７は、柱材９５の左右両端部において、柱材９５の他片１０１に重ね合わされて固定されている。この際、板片９７は、柱材９５より上方へ突出して設けられ、その２つの凹部１０３に、支持部７１を構成する棒材７５がはめ込まれている。
【００５４】
架台５は、２つの連結部７３が、各支柱部材１５，１７，１９の上端部に設けられた留具本体５３の凹部５７にはめ込まれて基台３に載せ置かれる。
【００５５】
具体的には、前方の連結部７３が、前方に配置された２つの支柱部材１５，１７の留具本体５３の凹部５７にはめ込まれ、後方の連結部７３が、後方に配置された支柱部材１９の留具本体５３の凹部５７にはめ込まれる。
【００５６】
そして、留具本体５３のネジ棒５９に、留材５５が取り付けられ、ナット６３がネジ棒５９にねじ込まれることで、支柱部材１５，１７，１９の上端部に架台５が固定される。留材５５が、連結部７３の上部に設けられることで、連結部７３の抜けが防止される。
【００５７】
架台５を基台３に固定した状態では、架台５は、前方へ行くにしたがって下方へ傾斜して取り付けられており、本実施例では、約３０°傾斜した状態で架台５は基台３に取り付けられる。
【００５８】
また、本実施例では、架台５の連結部７３が、留具本体５３の凹部５７にはめ込まれていることで、ナット６３を緩めた状態では、架台５は、基台３に対して左右方向に沿って移動可能であり、現場の状況に応じて位置を調整することができる。
【００５９】
図１０は、架台に太陽発電モジュールを取り付けた状態を示す図であり、図１１は、図１０のＤ部を示す図であり、図１２は、図１０のＥ部を示す図である。
【００６０】
太陽電池モジュールは、矩形板状とされ、支柱部材１５，１７，１９に取り付けられた架台５に載せ置かれて、係止具１１１，１１３により架台５に固定される。本実施例では、前後に隣接して２枚の太陽電池モジュールＭ１，Ｍ２が架台５に載せ置かれる。前方に配置される太陽電池モジュールＭ１は、第一補助連結部７９の板片８７に当接することで、傾斜して設けられた架台５から滑り落ちることがない。
【００６１】
本実施例では、支持部７１の前後両端部に配置される第一係止具１１１と、支持部７１の中途部に設けられ、隣接する太陽電池モジュールＭ１，Ｍ２間に配置される第二係止具１１３とにより、太陽電池モジュールＭ１，Ｍ２が架台５に固定される。
【００６２】
図１３および図１４は、第一係止具を示す図であり、図１３は斜視図、図１４は断面図である。
【００６３】
第一係止具１１１は、円筒体の一部が軸方向に切り欠かれた断面略Ｃ字形状とされる。第一係止具１１１は、その開口端部同士が、近接および離間可能に撓み変形可能とされる。また、第一係止具１１１の開口端部には、外方へ突出して、矩形板状の板片１１５，１１７が一体に形成されている。一方の板片１１５には、板厚方向に沿って貫通穴１１５ａが形成されており、他方の板片１１７には、ネジ穴１１７ａが貫通して形成されている。
【００６４】
また、第一係止具１１１には、その周側壁に径方向外側へ突出して矩形状の板材１１９の一端部が固定されており、この板材１１９の他端部には、丸棒状の係止部１２１が固定されている。係止部１２１は、第一係止具１１１の軸線と平行に配置され、その両端部１２１ａが板材１１９より外方へ突出して設けられている。本実施例では、板材１１９は、第一係止具１１１の開口部に対して周方向に９０度ずれた位置に設けられている。
【００６５】
第一係止具１１１は、各支持部７１の左右方向外側の棒材７５の前後両端部にそれぞれ通されて設けられる。そして、棒材７５の前端部に設けられた第一係止具１１１は、その係止部１２１の一端部１２１ａが、前方の太陽電池モジュールＭ１の前端部上面に当接するように、周方向の位置決めがなされる。また、棒材７５の後端部に設けられた第一係止具１１１は、その係止部１２１の一端部１２１ａが、後方の太陽電池モジュールＭ２の後端部上面に当接するように、周方向の位置決めがなされる。係止部１２１の一端部１２１ａが太陽電池モジュールＭ１，Ｍ２に当接した状態で、各第一係止具１１１の一方の板片１１５から他方の板片１１７にボルト１２５がねじ込まれて第一係止具１１１が棒材７５に固定される。このようにして、前方の太陽電池モジュールＭ１の前端部および後方の太陽電池モジュールＭ２の後端部は、第一係止具１１１と支持部７１に挟み込まれて、架台５に固定される。
【００６６】
図１５は、図１０のＦ部を示す図であり、図１６は、図１５に示す第二係止具の断面図である。
【００６７】
第二係止具１１３は、前後に隣接する太陽電池モジュールＭ１，Ｍ２間に配置される。第二係止具１１３は、板状の押え部１３１と、この押え部１３１に設けられる取付棒１３３と、この取付棒１３３の下端部に設けられる保持部１３５とを備える。
【００６８】
押え部１３１は、矩形状の板片とされ、左右に離隔して２本の丸棒状のピン部材１３７が、下方へ突出して設けられている。ピン部材１３７は、太陽電池モジュールＭ１，Ｍ２の厚さより短い寸法とされる。
【００６９】
取付棒１３３は、丸棒状とされ、その上端部が押え部１３１の中心部に固定されて、下方へ突出して設けられている。取付棒１３３の下端部外周面には、ネジ溝が形成されている。
【００７０】
保持部１３５は、上方に開口する矩形箱状とされ、本実施例では、板片を組み合わせて構成されている。保持部１３５の左右片１３９，１３９は、前後片１４１，１４１より上方へ突出している。また、保持部１３５の下片１４３の中央部には、取付棒１３３が通される貫通穴１４５が形成されている。
【００７１】
第二係止具１１３は、ピン部材１３７，１３７および取付棒１３３が、太陽電池モジュールＭ１，Ｍ２間に配置され、さらに取付棒１３３は、支持部７１の棒材７５，７５間に通される。そして、押え部１３１は、前方の太陽電池モジュールＭ１の後端部上面および後方の太陽電池モジュールＭ２の前端部上面に当接して設けられる。
【００７２】
保持部１３５は、支持部７１の下方に配置され、取付棒１３３が下片１４３の貫通穴１４５に通される。そして、取付棒１３３の下端部にナット１４９がねじ込まれることで、第二係止具１１３が、支持部７１に取り付けられる。この際、支持部７１の２つの棒材７５は、保持部１３５の左右片１３９，１３９間に配置される。このように第二係止具１１３が支持部７１に取り付けられることで、太陽電池モジュールＭ１，Ｍ２は、押え部１３１と保持部１３５により挟み込まれて架台５に固定される。
【００７３】
本実施例では、架台５の支持部７１が、２本の棒材７５，７５により構成されており、その間に第二係止具１１３の取付棒１３３を差し込み、押え部１３１と各棒材７５，７５とにより太陽電池モジュールＭ１，Ｍ２を挟み込むことで、太陽電池モジュールＭ１，Ｍ２を安定して架台５に取り付けることができる。また、第二係止具１１３の取付棒１３３は、支持部７１の棒材７５，７５間に沿って前後方向に沿って移動可能とされ、太陽電池モジュールを架台５に取り付ける際に、調整が可能とされる。
【００７４】
図１７は、基台の下部に防草部材を取り付けようとしている状態を示す図であり、図１８は、防草部材を取り付けた状態を示す図である。
【００７５】
本実施例では、基台３の周囲に、草が生えるのを防止する防草部材１５１を設けることができる。防草部材１５１は、一対の板状の防草材１５３，１５３により構成されている。
【００７６】
防草材１５３は、矩形状とされ、その一端辺部の中央部には、略三角形状の切欠き部１５７が形成されている。具体的には、防草材１５３の一端辺部には、左右方向外側へ延出する第一辺１６１と、この第一辺１６１から後方へ行くにしたがって左右方向外側へ傾斜する第二辺１６３と、この第二辺１６３から左右方向内側へ延出する第三辺１６５とにより形成される切欠き部１５７が形成されている。
【００７７】
各防草材１５３は、その一端辺同士が向き合うようにして、基台３の下部に配置される。本実施例では、杭Ｐにより地面に固定された基台３の台座７の下部に、スライドさせて防草材１５３を設けることができる。この際、防草材１５３，１５３同士は、第一辺１６１に対応する箇所が重ね合わされる。
【００７８】
防草材１５３が基台３の下部に配置された状態では、第一辺１６１と第二辺１６３との境界となる角部および、第二辺１６３と第三辺１６５との境界となる角部が、それぞれ案内部材９に通された杭Ｐの外周面に当接して配置されている。そして、防草材１５３の外周部に形成された貫通穴１６９を介して杭が地面に打ち込まれて、防草部材１５１が地面に固定される。本実施例では、防草材１５３，１５３同士が重ね合わされた位置では、各防草材１５３の貫通穴１６９が重ね合わされて杭Ｐが打ち込まれる。
【００７９】
このように、基台３の下部およびその周囲を防草部材１５１で覆うことで、草が生えるのを防止することができる。
【００８０】
本実施例では、杭Ｐにより地面に立設された支柱部材１５，１７，１９に架台５を取り付け、この架台５に太陽電池モジュールを取り付けるだけでよく、太陽電池モジュールの設置が容易とされる。
【００８１】
また、本実施例では、支柱部材１５，１７，１９が固定された基台３と架台５とにより構成されてユニット化されており、基台３を杭Ｐで地面に固定し、この基台３に架台５を取り付けるだけでよく、太陽電池モジュールの設置が容易である。
【００８２】
次に、本実施例の太陽電池モジュール設置具の変形例について説明する。
本変形例の太陽電池モジュール設置具は、基本的には上記実施例の太陽電池モジュールと同様である。そのため、以下では、両者の異なる部分を中心に説明し、対応する箇所には同じ符号を付して説明する。
【００８３】
本変形例では、架台５と支柱部材１５，１７，１９との接続の仕方が上記実施例と異なっている。
【００８４】
架台５の連結部７３には、下方へ突出して棒状の接続部２０１が設けられている。具体的には、前方の連結部７３に、左右に離隔して２つの接続部２０１，２０１が設けられ、後方の連結部の左右方向中央部に１つの接続部２０１が設けられている。各接続部２０１には、左右方向に沿って貫通穴２０３が形成されている。
【００８５】
また、各支柱部材１５，１７，１９の上端部には、円筒状の受け具２０７が、軸方向を上下方向に沿うように配置されて設けられている。受け具２０７には、左右方向に沿って貫通穴が形成されている。
【００８６】
本変形例では、架台の接続部２０１が、支柱部材１５，１７，１９の受け具２０７にはめ込まれて、架台５が支柱部材１５，１７，１９に取り付けられる。そして、受け具２０７の貫通穴と、接続部２０１の貫通穴２０３が同軸線上に配置された状態で、ボルト２０９が貫通穴２０３に差し込まれ、このボルト２０９にナットがねじ込まれて、架台５が支柱部材１５，１７，１９に固定される。
【００８７】
本発明の太陽電池モジュール設置具は、上記実施例の構成に限らず、適宜変更可能である。
たとえば、上記実施例では、架台５は、支柱部材１５，１７，１９に３０°傾斜して取り付けられたが、１０°や６０°傾斜して取り付けられたり、または水平に取り付けられたりしてもよく、その取付角度は適宜変更可能である。この際、各支柱部材１５，１７，１９の長さを変更することで、架台５の取付角度を変更することができる。
【００８８】
また、上記実施例では、支柱部材は、前方に２本設けられ、後方に１本設けられたが、前方に１本設け、後方に２本設けるようにしてもよい。さらに、支柱部材や案内部材の本数は適宜変更可能である。
【００８９】
さらに、上記実施例では、架台５に太陽電池モジュールを２枚取り付けたが、１枚としたり、３枚以上取り付けるようにしてもよい。
【符号の説明】
【００９０】
３  基台
５  架台
７  台座
９  案内部材
１５  支柱部材
１７  支柱部材
１９  支柱部材
３１  締付具
５１  留具
５３  留具本体
５５  留材
７１  支持部
７３  連結部
１５１  防草部材
【図１】
2015052207.tif 000003
【図２】
2015052207.tif 000004
【図３】
2015052207.tif 000005
【図４】
2015052207.tif 000006
【図５】
2015052207.tif 000007
【図６】
2015052207.tif 000008
【図７】
2015052207.tif 000009
【図８】
2015052207.tif 000010
【図９】
2015052207.tif 000011
【図１０】
2015052207.tif 000012
【図１１】
2015052207.tif 000013
【図１２】
2015052207.tif 000014
【図１３】
2015052207.tif 000015
【図１４】
2015052207.tif 000016
【図１５】
2015052207.tif 000017
【図１６】
2015052207.tif 000018
【図１７】
2015052207.tif 000019
【図１８】
2015052207.tif 000020
【図１９】
2015052207.tif 000021
【図２０】
2015052207.tif 000022
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
杭により固定される支柱部材と、
この支柱部材の上端部に取り付けられ、太陽電池モジュールが取り付けられる架台と
を備え、
前記支柱部材は、前後に離隔して設けられ、
前方の支柱部材と後方の支柱部材は長さが異なっており、
前記架台は、前後の支柱部材の上端部に保持されることで傾斜して取り付けられ、
前記支柱部材は、基台に取り付けられており、
前記基台は、板状の台座と、この台座に軸線を上下方向に沿うようにして固定される円筒状の案内部材と、この案内部材と同軸線上に配置される締付具とを備え、
前記案内部材および前記締付具に杭が差し込まれて、前記締付具が杭に固定される
ことを特徴とする太陽電池モジュール設置具。
【請求項２】
前記架台は、左右に離隔して設けられる支持部と、この支持部同士を連結する連結部とを有し、
前記連結部が、前記支柱部材の上端部に設けられた留具により固定される
ことを特徴とする請求項１に記載の太陽電池モジュール設置具。
【請求項３】
前記留具は、前記連結部が上方からはめ込まれる凹部が形成された留具本体と、
この留具本体に取り付けられ、前記凹部にはめ込まれた前記連結部の抜けを防止する留材と
を備えることを特徴とする請求項２に記載の太陽電池モジュール設置具。
【請求項４】
前記架台は、左右に離隔して設けられる支持部と、この支持部同士を連結する連結部と、前記連結部から下方へ突出する接続部とを有し、
前記接続部が、前記支柱部材の上端部に設けられた受け具にはめ込まれて固定される
ことを特徴とする請求項１に記載の太陽電池モジュール設置具。
【請求項５】
前記基台の下部およびその周囲に敷かれる防草部材をさらに備える
ことを特徴とする請求項１から請求項４までのいずれかに記載の太陽電池モジュール設置具。
【手続補正２】
【補正対象書類名】明細書
【補正対象項目名】０００５
【補正方法】変更
【補正の内容】
【０００５】
本発明は、前記課題を解決するためになされたもので、請求項１に記載の発明は、杭により固定される支柱部材と、この支柱部材の上端部に取り付けられ、太陽電池モジュールが取り付けられる架台とを備え、前記支柱部材は、前後に離隔して設けられ、前方の支柱部材と後方の支柱部材は長さが異なっており、前記架台は、前後の支柱部材の上端部に保持されることで傾斜して取り付けられ、前記支柱部材は、基台に取り付けられており、前記基台は、板状の台座と、この台座に軸線を上下方向に沿うようにして固定される円筒状の案内部材と、この案内部材と同軸線上に配置される締付具とを備え、前記案内部材および前記締付具に杭が差し込まれて、前記締付具が杭に固定されることを特徴とする太陽電池モジュール設置具である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項２に記載の発明は、前記架台は、左右に離隔して設けられる支持部と、この支持部同士を連結する連結部とを有し、前記連結部が、前記支柱部材の上端部に設けられた留具により固定されることを特徴とする請求項１に記載の太陽電池モジュール設置具である。
【手続補正６】
【補正対象書類名】明細書
【補正対象項目名】０００９
【補正方法】変更
【補正の内容】
【０００９】
請求項３に記載の発明は、前記留具は、前記連結部が上方からはめ込まれる凹部が形成された留具本体と、この留具本体に取り付けられ、前記凹部にはめ込まれた前記連結部の抜けを防止する留材とを備えることを特徴とする請求項２に記載の太陽電池モジュール設置具である。
【手続補正７】
【補正対象書類名】明細書
【補正対象項目名】００１０
【補正方法】変更
【補正の内容】
【００１０】
請求項４に記載の発明は、前記架台は、左右に離隔して設けられる支持部と、この支持部同士を連結する連結部と、前記連結部から下方へ突出する接続部とを有し、前記接続部が、前記支柱部材の上端部に設けられた受け具にはめ込まれて固定されることを特徴とする請求項１に記載の太陽電池モジュール設置具である。
【手続補正８】
【補正対象書類名】明細書
【補正対象項目名】００１１
【補正方法】変更
【補正の内容】
【００１１】
さらに、請求項５に記載の発明は、前記基台の下部およびその周囲に敷かれる防草部材をさらに備えることを特徴とする請求項１から請求項４までのいずれかに記載の太陽電池モジュール設置具である。